(57)【要約】【課題】夏場の睡眠時に運転される扇風機において、睡眠状態に入るまでは心地よく快適にし、さらに睡眠状態に移行してからも体が冷えすぎないようにして快適な睡眠を提供できる運転をおこなうことを目的とする。【解決手段】制御部１０は第１体温値保管部１３に体温値が保管されてから第１体温比較部１４にて赤外線センサー６から検出される体温値が第１体温値保管部１３に保管された体温値に対して規定温度以上低下した場合にファンモーター３の回転数を低下させるようにし、また第２体温値保管部１５に体温値が保管されてから第２体温比較部１６にて赤外線センサー６から検出される体温値が第２体温値保管部１５に保管された体温値に対して規定温度以上上昇した場合にファンモーター３の回転数を上昇させる構成とした。【選択図】図１
2014066151.tif 000002
【特許請求の範囲】
【請求項１】
送風ファンを回転するモーターと、前記モーターの回転数を制御するモーター駆動部と、室内照度を検出する照度検出手段と、体温を検出する体温検出手段と、前記照度検出手段からの検出量と前記体温検出手段からの体温情報をもとに前記モーター駆動部に制御信号を送る制御手段を備え、前記照度検出手段には照明を消灯する就寝時の室内照度を規定する第１照度規定値と早朝の明るさの照度を規定する第２照度規定値を設け、前記制御手段には、前記照度検出手段の検出値が第１照度規定値を継続して下回る時間を計測する第１時間計測部と、前記第１時間計測部が規定時間以上計測された時に前記体温検出手段から検出された体温値を保管する第１体温値保管部と、前記第１体温値保管部に保管された体温値と前記体温検出手段から検出される体温値とを比較判定する第１体温比較手段と、前記照度検出手段の検出値が第２照度規定値を継続して上回る時間を計測する第２時間計測部と、前記第２時間計測部が規定時間以上計測された時に前記体温検出手段から検出された体温値を保管する第２体温値保管部と、前記第２体温値保管部に保管された体温値と前記体温検出手段から検出される体温値とを比較判定する第２体温比較手段を設け、前記第１体温比較手段は、前記体温検出手段から検出される体温値が前記第１体温値保管部に保管された体温値よりも規定温度以上低下した場合に前記モーター駆動部に制御信号を送り前記モーターの回転数を低下させるようにし、また、前記第２体温比較手段は、前記体温検出手段から検出される体温値が第２体温値保管部に保管された体温値よりも規定温度以上上昇した場合に前記モーター駆動部に制御信号を送り前記モーターの回転数を上昇させるようにした扇風機。
【請求項２】
前記制御部には前記第１体温比較手段が前記体温検出手段から検出される体温値が前記第１体温値保管部に保管された体温値よりも規定温度以上低下したときに送られる制御信号と前記第２体温比較手段が前記体温検出手段から検出される体温値が前記第２体温値保管部に保管された体温値よりも規定値異常上昇したときに送られる制御信号を受ける睡眠状態表示駆動部と、前記睡眠状態表示駆動部からの制御信号により睡眠状態であることを表示する睡眠状態表示部を設け、前期睡眠状態表示駆動部は前記第１体温比較手段が前記体温検出手段から検出される体温値が前記第１体温値保管部に保管された体温値よりも規定温度以上低下したときに前記睡眠状態表示部を点灯状態にし、前記第２体温比較手段が前記体温検出手段から検出される体温値が前記第２体温値保管部に保管された体温値よりも規定値以上上昇したときに前記睡眠状態表示部を消灯状態にするようにした請求項１記載の扇風機。
【請求項３】
前記制御部には前記第２体温比較手段が前記体温検出手段から検出される体温値が第２体温値保管部に保管された体温値よりも規定温度以上上昇したときに送られる制御信号を受ける体温上昇時間計測手段を設け、前記体温上昇時間計測手段が規定時間以上継続して制御信号を受けた場合に前記モーター駆動部に制御信号を送り前記モーターの回転数を上昇させるようにした請求項１記載の扇風機。
【発明の詳細な説明】
【技術分野】
【０００１】
本発明は、睡眠時の快適性を向上させる扇風機に関するものである。
【背景技術】
【０００２】
従来、この種の扇風機は、室内温度と室内照度を検出して睡眠時に室内温度が上昇すると送風ファンを回転するものが知られている（例えば文献１参照）。
【０００３】
以下、その扇風機について図を参照しながら説明する。
【０００４】
図１１〜図１３に示すように、扇風機本体１０１の主要部はファンモーター１０２、ファン１０３、支柱１０４、基台１０５からなり、基台１０５上には室内温度を検出する温度センサー１０６ならびに室内の照度を検出する照度センサー１０７を備え、前面には操作部１０８および制御部１０９を設けている。
【０００５】
上記構成において、電源が通電され使用者が自動運転モードに設定されると制御部１０９は温度センサー１０６で検出される温度をもとにファンモーター１０２の回転数を決定しファン１０３を運転させている。その後温度センサー１０６からの検出温度が高くなると室内空調機が停止したと判断し、照度センサー１０７からの検出値が夜間のような暗闇を検出しているのであれば就寝中と判断してファンモーター１０２の回転数を上昇させてファン１０３からの送風量を増やし快適に睡眠させるものである。
【先行技術文献】
【特許文献】
【０００６】
【特許文献１】特開平６−２８０７８７号公報
【発明の概要】
【発明が解決しようとする課題】
【０００７】
このような従来の扇風機では、室温の上昇のみで判断しているため使用者の体感状況が判別できず運転風量を上げてしまうので寒冷感を与えてしまう場合や、騒音や風圧により睡眠から覚醒させてしまうことがあった。
【０００８】
そこで、本発明は、このような従来の課題を解決するものであり、使用者の体感状況を認識しながら快適に睡眠や覚醒をおこなうことができる扇風機を提供することを目的としている。
【課題を解決するための手段】
【０００９】
そして、この目的を達成するために、本発明の扇風機は、送風ファンを回転するモーターと、前記モーターの回転数を制御するモーター駆動部と、室内照度を検出する照度検出手段と、体温を検出する体温検出手段と、前記照度検出手段からの検出量と前記体温検出手段からの体温情報をもとに前記モーター駆動部に制御信号を送る制御手段を備え、前記照度検出手段には照明を消灯する就寝時の室内照度を規定する第１照度規定値と早朝の明るさの照度を規定する第２照度規定値を設け、前記制御手段には、前記照度検出手段の検出値が第１照度規定値を継続して下回る時間を計測する第１時間計測部と、前記第１時間計測部が規定時間以上計測された時に前記体温検出手段から検出された体温値を保管する第１体温値保管部と、前記第１体温値保管部に保管された体温値と前記体温検出手段から検出される体温値とを比較判定する第１体温比較部と、前記照度検出手段の検出値が第２照度規定値を継続して上回る時間を計測する第２時間計測部と、前記第２時間計測部が規定時間以上計測された時に前記体温検出手段から検出された体温値を保管する第２体温値保管部と、前記第２体温値保管部に保管された体温値と前記体温検出手段から検出される体温値とを比較判定する第２体温比較部を設け、前記第１体温比較部は、前記体温検出手段から検出される体温値が前記第１体温値保管部に保管された体温値よりも規定温度以上低下した場合に前記モーター駆動部に制御信号を送り前記モーターの回転数を低下させるようにし、また、前記第２体温比較部は、前記体温検出手段から検出される体温値が第２体温値保管部に保管された体温値よりも規定温度以上上昇した場合に前記モータ駆動部に制御信号を送り前記モーターの回転数を上昇させるようにしたものであり、これにより所期の目的を達成するものである。
【００１０】
また、本発明の扇風機は、前記制御部には前記第１体温比較部が前記体温検出手段から検出される体温値が前記第１体温値保管部に保管された体温値よりも規定温度以上低下したとき送られる制御信号と、前記第２体温比較部が前記体温検出手段から検出される体温値が前記第２体温値保管部に保管された体温値よりも規定値異常上昇したときに送られる制御信号を受ける睡眠状態表示駆動部と、前記睡眠状態表示駆動部からの制御信号により睡眠状態であることを表示する睡眠状態表示部を設け、前記睡眠状態表示駆動部は前記第１体温比較部が前記体温検出手段から検出される体温値が前記第１体温値保管部に保管された体温値よりも規定温度以上低下したときに前記睡眠状態表示部を点灯状態にし、前記第２体温比較部が前記体温検出手段から検出される体温値が前記第２体温値保管部に保管された体温値よりも規定値以上上昇したときに前記睡眠状態表示部を消灯状態にする構成にした。
【００１１】
また、本発明の扇風機は、前記制御部には前記第２体温比較部が前記体温検出手段から検出される体温値が第２体温値保管部に保管された体温値よりも規定温度以上上昇したときに送られる制御信号を受ける体温上昇時間計測手段を設け、前記体温上昇時間計測手段が規定時間以上継続して制御信号を受けた場合に前記モーター駆動部に制御信号を送り前記モーターの回転数を上昇させる構成にした。
【発明の効果】
【００１２】
本発明によれば、送風ファンを回転するモーターと、前記モーターの回転数を制御するモーター駆動部と、室内照度を検出する照度検出手段と、体温を検出する体温検出手段と、前記照度検出手段からの検出量と前記体温検出手段からの体温情報をもとに前記モーター駆動部に制御信号を送る制御手段を備え、前記照度検出手段には照明を消灯する就寝時の室内照度を規定する第１照度規定値と早朝の明るさの照度を規定する第２照度規定値を設け、前記制御手段には、前記照度検出手段の検出値が第１照度規定値を継続して下回る時間を計測する第１時間計測部と、前記第１時間計測部が規定時間以上計測された時に前記体温検出手段から検出された体温値を保管する第１体温値保管部と、前記第１体温値保管部に保管された体温値と前記体温検出手段から検出される体温値とを比較判定する第１体温比較部と、前記照度検出手段の検出値が第２照度規定値を継続して上回る時間を計測する第２時間計測部と、前記第２時間計測部が規定時間以上計測された時に前記体温検出手段から検出された体温値を保管する第２体温値保管部と、前記第２体温値保管部に保管された体温値と前記体温検出手段から検出される体温値とを比較判定する第２体温比較部を設け、前記第１体温比較部は、前記体温検出手段から検出される体温値が前記第１体温値保管部に保管された体温値よりも規定温度以上低下した場合に前記モーター駆動部に制御信号を送り前記モーターの回転数を低下させるようにし、また、前記第２体温比較部は、前記体温検出手段から検出される体温値が第２体温値保管部に保管された体温値よりも規定温度以上上昇した場合に前記モーター駆動部に制御信号を送り前記モーターの回転数を上昇させるようにしたもので、室内消灯後の使用者の体温の低下を検出することで睡眠状態と判断し風量を低下することで寒冷感を与えることがなく、また明け方に使用者の体温の上昇を検出することで風量を上昇させて睡眠状態からの覚醒を喚起することで快適な睡眠を提供できる。
【図面の簡単な説明】
【００１３】
【図１】本発明の実施の形態１の扇風機の構造図
【図２】同制御ブロック図
【図３】同室温と照度とファンモーターの回転数との相関図
【図４】同時間経過とともに運転状態の変化を示すチャート
【図５】同制御部の処理を示す制御フローチャート
【図６】同制御部の処理を示す制御フローチャート
【図７】本発明の実施の形態２の制御ブロック図
【図８】同制御フローチャート
【図９】同制御フローチャート
【図１０】本発明の実施の形態３の制御フローチャート
【図１１】従来の扇風機の構造図
【図１２】同ブロック図
【図１３】同制御フローチャート
【発明を実施するための形態】
【００１４】
本発明の請求項１記載の発明は、送風ファンを回転するモーターと、前記モーターの回転数を制御するモーター駆動部と、室内照度を検出する照度検出手段と、体温を検出する体温検出手段と、前記照度検出手段からの検出量と前記体温検出手段からの体温情報をもとに前記モーター駆動部に制御信号を送る制御手段を備え、前記照度検出手段には照明を消灯する就寝時の室内照度を規定する第１照度規定値と早朝の明るさの照度を規定する第２照度規定値を設け、前記制御手段には、前記照度検出手段の検出値が第１照度規定値を継続して下回る時間を計測する第１時間計測部と、前記第１時間計測部が規定時間以上計測された時に前記体温検出手段から検出された体温値を保管する第１体温値保管部と、前記第１体温値保管部に保管された体温値と前記体温検出手段から検出される体温値とを比較判定する第１体温比較部と、前記照度検出手段の検出値が第２照度規定値を継続して上回る時間を計測する第２時間計測部と、前記第２時間計測部が規定時間以上計測された時に前記体温検出手段から検出された体温値を保管する第２体温値保管部と、前記第２体温値保管部に保管された体温値と前記体温検出手段から検出される体温値とを比較判定する第２体温比較部を設け、前記第１体温比較部は、前記体温検出手段から検出される体温値が前記第１体温値保管部に保管された体温値よりも規定温度以上低下した場合に前記モーター駆動部に制御信号を送り前記モーターの回転数を低下させるようにし、また、前記第２体温比較部は、前記体温検出手段から検出される体温値が第２体温値保管部に保管された体温値よりも規定温度以上上昇した場合に前記モーター駆動部に制御信号を送り前記モーターの回転数を上昇させるようにしたもの構成を有する。
【００１５】
これにより、照度検出手段からの照度が第１照度規定値に対して下回り、その経過時間を第１時間計測部にて計測して、その経過時間が規定時間以上経過しているのであれば室内は消灯されたと判断し、そのときの体温検出手段から検出される体温値を第１体温値保管部に保管し、それ以後第１体温比較部により体温検出手段から検出される体温値が第１体温保管部に保管された体温値に対して規定値以上低下したと判断されると睡眠状態に入ったと判断してモーターの回転数を低下して送風量を下げることで、睡眠者の冷えすぎを防止できるという効果を奏する。
【００１６】
また照度検出手段からの照度が第２照度規定値に対して上回り、その経過時間を第２時間計測部にて計測して、その経過時間が規定時間以上経過しているのであれば明け方になったと判断し、そのときの体温検出手段から検出される体温値を第２体温値保管部に保管し、それ以後第２体温比較部により体温検出手段から検出される体温値が第２体温値保管部に保管された体温値に対して規定値以上上昇したと判断されると覚醒状態に入ったと判断してモーターの回転数を上昇させて送風量を上げることで刺激を与えて快適に覚醒できるという効果を奏する。
【００１７】
また、請求項２記載の発明は、前記制御部には前記第１体温比較部が前記体温検出手段から検出される体温値が前記第１体温値保管部に保管された体温値よりも規定温度以上低下したとき送られる制御信号と、前記第２体温比較部が前記体温検出手段から検出される体温値が前記第２体温値保管部に保管された体温値よりも規定値異常上昇したときに送られる制御信号を受ける睡眠状態表示駆動部と、前記睡眠状態表示駆動部からの制御信号により睡眠状態であることを表示する睡眠状態表示部を設け、前記睡眠状態表示駆動部は前記第１体温比較部が前記体温検出手段から検出される体温値が前記第１体温値保管部に保管された体温値よりも規定温度以上低下したときに前記睡眠状態表示部を点灯状態にし、前記第２体温比較部が前記体温検出手段から検出される体温値が前記第２体温値保管部に保管された体温値よりも規定値以上上昇したときに前記睡眠状態表示部を消灯状態にする構成を有する。
【００１８】
これにより使用者が睡眠状態での運転モードに入っている状態であることを他の人も認識できるので、誤って扇風機に近づいて運転風量を変化させてしまうことを防止できるという効果を奏する。
【００１９】
また、請求項３記載の発明は、前記制御部には前記第２体温比較部が前記体温検出手段から検出される体温値が第２体温値保管部に保管された体温値よりも規定温度以上上昇したときに送られる制御信号を受ける体温上昇時間計測手段を設け、前記体温上昇時間計測手段が規定時間以上継続して制御信号を受けた場合に前記モーター駆動部に制御信号を送り前記モーターの回転数を上昇させるようした構成を有する。
【００２０】
これにより寝返りによる検出温度の変化や他の外乱要因による温度変化に対して運転風量をあげてしまうことがないので、使用者の睡眠妨害を防止できるという効果を奏する。
【００２１】
以下、本発明の実施の形態について図面を参照しながら説明する。
【００２２】
（実施の形態１）
図１、図２に示すように、扇風機の本体１の主要部はファン２、ファンモーター３、支柱４、基台５からなり、支柱４には人の温度を検出する体温検出手段である赤外線センサー６を、基台５上には室内の照度を検出する照度センサー７と室内の温度を検出する温度センサー８と、前面には操作部９および制御部１０を備えている。操作部９には自動運転モードの設定が可能となっており温度自動運転モードと睡眠自動運転モードを選択できるようになっている。
【００２３】
ここで制御部１０には、照度センサー７から検出される照度に対して照明を消灯する就寝時の室内照度を規定する第１照度規定値と早朝の明るさの照度を規定する第２照度規定値を規定しており、照度センサー７から検出される照度が第１照度規定値を下回ってから連続して下回る時間を計測する第１時間計測部１１と、第２照度規定値を上回ってから連続して上回る時間を計測する第２時間計測部１２を設け、第１時間計測部１１が規定時間以上を計測した時に赤外線センサー６が検出した体温値を保管する第１体温値保管部１３と、第１体温値保管部１３に保管された体温値と赤外線センサー６が検出した体温値を比較判定する第１体温比較部１４と、第２時間計測部１２が規定時間以上を計測した時に赤外線センサー６が検出した体温値を保管する第２体温値保管部１５と、第２体温値保管部１５に保管された体温値と赤外線センサー６が検出した体温値を比較判定する第２体温比較部１６と、第１体温比較部１４と第２体温比較部１６から制御信号が送られファンモーターを駆動するモーター駆動部１７を備えている。
【００２４】
上記構成において、使用者が就寝前に操作部９を操作して睡眠自動運転モードを選択すると図３に示されるように制御部１０は温度センサー８からの温度情報を元にファンモーター３の回転数を決定し運転を開始する。その後室内の照明を消灯し照度センサー７から検出される照度値が第１照度値を下回ると第１時間計測部１１にて時間計測が開始され、５分間経過しても第１照度値を下回ったままであると就寝体勢に移行したと判断して赤外線センサー６から検出される使用者の体温を第１体温値保管部１３に保管する。
【００２５】
それから、第１体温比較部１４は赤外線センサー６から検出される体温値が第１体温値保管部１３に保管された体温値よりも１．０℃以上体温が低下すると、使用者は睡眠状態に移行したと判断し、モーター駆動部１７に制御信号を送りファンモーター３の回転数を減少させファン２の送風量を低下させるものである。
【００２６】
例えば、図３〜図６に示すように温度センサー８での検出温度が２４℃で照度センサー７での検出照度が１００ルクスの場合は制御部１０はファンモーター３を３００ｒｐｍで回転させるが、使用者が室内照明を消灯させると照度センサー７での検出照度が５ルクスを下回るのでファンモーター３の回転数を２００ｒｐｍに低下させ、同時に第１時間計測部１１はその時点から時間計測を開始する。その後５分間連続して５ルクスを下回るとその時点の赤外線センサー６が検出した体温値３６．２℃を第１体温値保管部１３に保管する。その後第１体温比較部１４にて赤外線センサー６が検出する体温値が３５．２℃まで低下すれば１．０℃以上体温が低下したと判断してモーター駆動部１７よりファンモーター３の回転数を１５０ｒｐｍまで低下させるものである。
【００２７】
また、翌朝の明け方には照度センサー７から検出される照度レベルが上昇しはじめるため、その照度値が第２照度値を上回ると第２時間計測部１２にて時間計測が開始され、５分間経過しても第２照度値を上回ったままであると早朝の明るさであると判断して赤外線センサー６から検出される使用者の体温を第２体温値保管部１５に保管する。それから第２体温比較部１６は赤外線センサー６から検出される体温値が第２体温値保管部１５に保管された体温値よりも０．５℃以上体温が上昇すると、使用者は覚醒状態に移行したと判断し、モーター駆動部１７に制御信号を送りファンモーター３の回転数を上昇させファン２の送風量を増加させるものである。
【００２８】
例えば、温度センサー８での検出温度が２４℃で照度センサー７での検出照度が２ルクスですでに睡眠状態に移行していると判断されている場合は制御部１０はファンモーター３を１５０ｒｐｍで回転させているが、早朝の明るさになると室内の照度が上昇してくるので照度センサー７での検出照度が３０ルクスを上回ると第２時間計測部１２はその時点から時間計測を開始する。その後５分間連続して３０ルクスを上回るとその時点の赤外線センサー６が検出した体温値３５．４℃を第２体温値保管部１５に保管する。その後第２体温比較部１６にて赤外線センサー６が検出する体温値が３５．９℃まで上昇すれば０．５℃以上体温が上昇したと判断してモーター駆動部１７によりファンモーター３の回転数を３００ｒｐｍまで上昇させるものである。
【００２９】
以上のように、使用者の睡眠状態への移行を検出して送風量を低下させることで、無意識のうちに体を冷してしまうことを防止できるので睡眠時にも安心して扇風機を使用することができる。また、翌朝には覚醒状態への移行を検出して送風量を増加させて外的な刺激を与えることで、不快感なく目覚めさせることができるので使い勝手のよい運転をおこなうことができる。
【００３０】
（実施の形態２）
本発明の実施の形態２について図７および図８を参照しながら説明する。なお、本実施の形態２は前記実施の形態１に対して使用者の睡眠状態をお知らせする睡眠状態表示部１９および睡眠状態表示部１９の点灯状態を制御する睡眠状態表示駆動部１８を設けたものであるため、同一構成のものは同一番号を付して詳しい説明は省略する。
【００３１】
すなわち、制御部１０には第１体温比較部１４が赤外線センサー６から検出される体温値が第１体温値保管部１３に保管された体温値よりも規定温度以上低下したとき送られる制御信号と、第２体温比較部１６が赤外線センサー６から検出される体温値が第２体温値保管部１５に保管された体温値よりも規定値異常上昇したときに送られる制御信号を受ける睡眠状態表示駆動部１８と、睡眠状態表示駆動部１８からの制御信号により睡眠状態であることを表示する睡眠状態表示部１９を設けたものである。
【００３２】
睡眠状態表示駆動部１８は、第１体温比較部１４が赤外線センサー６から検出される体温値が第１体温値保管部１３に保管された体温値よりも規定温度以上低下したときに睡眠状態表示部１９を点灯状態にし、第２体温比較部１６が赤外線センサー６から検出される体温値が第２体温値保管部１５に保管された体温値よりも規定値以上上昇したときに睡眠状態表示部１９を消灯状態にする構成を有する。
【００３３】
上記構成において、使用者が就寝前に操作部９を操作して睡眠自動運転モードを選択すると図３に示されるように制御部１０は温度センサー８からの温度情報をもとにファンモーター３の回転数を決定し運転を開始する。
【００３４】
その後室内の照明を消灯し照度センサー７から検出される照度値が第１照度値を下回ると第１時間計測部１１にて時間計測が開始され、５分間経過しても第１照度値を下回ったままであると就寝体勢に移行したと判断して赤外線センサー６から検出される使用者の体温を第１体温値保管部１３に保管する。
【００３５】
それから第１体温比較部１４は赤外線センサー６から検出される体温値が第１体温値保管部１３に保管された体温値よりも１．０℃以上体温が低下すると、使用者は睡眠状態に移行したと判断し、睡眠状態表示駆動部１８に制御信号を送り睡眠状態表示部１９を点灯させるものである。
【００３６】
また、翌朝の明け方には照度センサー７から検出される照度レベルが上昇しはじめるため、その照度値が第２照度値を上回ると第２時間計測部１２にて時間計測が開始され、５分間経過しても第２照度値を上回ったままであると早朝の明るさであると判断して赤外線センサー６から検出される使用者の体温を第２体温値保管部１５に保管する。
【００３７】
それから第２体温比較部１６は赤外線センサー６から検出される体温値が第２体温値保管部１５に保管された体温値よりも０．５℃以上体温が上昇すると、使用者は覚醒状態に移行したと判断し、睡眠状態表示駆動部１８に制御信号を送り睡眠状態表示部１９を消灯させるものである。
【００３８】
以上のように使用者が睡眠状態に移行している間は睡眠状態を表示しているので使用者以外の人にも睡眠状態であることを知らせることができるので室内の照明の点灯や赤外線センサーの検知範囲に入ってしまい覚醒状態に移行したと誤判断させることを防止できる。
【００３９】
また、図１０に示すように本実施例では照度センサー７により第２照度値を上回ると第２時間計測部１２にて時間計測が開始され、５分間経過しても第２照度値を上回ったままであれば早朝の明るさであると判断して赤外線センサー６から検出される使用者の体温を第２体温値保管部１５に保管する。それから第２体温比較部１６は赤外線センサー６から検出される体温値が第２体温値保管部１５に保管された体温値よりも０．５℃以上体温が上昇すると、使用者は覚醒状態に移行したと判断したが、赤外線センサー６から検出される使用者の体温が第２体温値保管部１５に保管された体温値よりも０．５℃以上高いと判断され続ける時間を計測する体温上昇時間計測部２０を設けて、体温上昇時間計測部２０にて規定時間以上計測されることで覚醒状態に移行したと判断しモーター駆動部１７に制御信号を送りファンモーター３の回転数を上昇させファン２の送風量を増加させるようにすることで寝返りなどによる急な温度変化に対して誤判断させることを防止できる。
【産業上の利用可能性】
【００４０】
本発明にかかる扇風機は、夏場の睡眠を快適におこなわすためのものであり、冬場に用いる暖房機に用いる技術としても有用である。
【符号の説明】
【００４１】
１  本体
２  ファン
３  ファンモーター
４  支柱
５  基台
６  赤外線センサー
７  照度センサー
８  温度センサー
９  操作部
１０  制御部
１１  第１時間計測部
１２  第２時間計測部
１３  第１体温値保管部
１４  第１体温比較部
１５  第２体温値保管部
１６  第２体温比較部
１７  モーター駆動部
【図１】
2014066151.tif 000003
【図２】
2014066151.tif 000004
【図３】
2014066151.tif 000005
【図４】
2014066151.tif 000006
【図５】
2014066151.tif 000007
【図６】
2014066151.tif 000008
【図７】
2014066151.tif 000009
【図８】
2014066151.tif 000010
【図９】
2014066151.tif 000011
【図１０】
2014066151.tif 000012
【図１１】
2014066151.tif 000013
【図１２】
2014066151.tif 000014
【図１３】
2014066151.tif 000015